(57)【要約】【課題】ユーザとメーカとをネットワークによるオンライン化することなく、ユーザ在庫の消耗品が在庫切れや余剰にならないように消耗品の発注数をコントロールすることができる消耗品の供給管理システムを提供すること。【解決手段】ロット番号Ａ１及び使用期限Ａ２を含む消耗品データＡ並びに前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）を含む消耗品の個数データを格納するデータ格納手段１１と、データ格納手段１１に格納された各データに基づいて次回の棚卸しまでの予め決められた所定期間にユーザからの消耗品の適正発注数を算出し、ユーザに通知する消耗品の適正発注数の算出・通知手段１２とを備える。【選択図】図１
2011186905.tif 000002
【特許請求の範囲】
【請求項１】
検査試料に含まれる気中から捕集した空中浮遊菌の生菌に由来するＡＴＰ量を生物発光反応による発光量を計測することにより求めるようにした検査装置に用いる使用期限のある消耗品の供給管理システムであって、ロット番号及び使用期限を含む消耗品データ並びに前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）を含む消耗品の個数データを格納するデータ格納手段と、前記データ格納手段に格納された各データに基づいて次回の棚卸しまでの予め決められた所定期間にユーザからの消耗品の適正発注数を算出し、ユーザに通知する消耗品の適正発注数の算出・通知手段とを備えたことを特徴とする消耗品の供給管理システム。
【請求項２】
検査試料に含まれる気中から捕集した空中浮遊菌の生菌に由来するＡＴＰ量を生物発光反応による発光量を計測することにより求めるようにした検査装置に用いる使用期限のある消耗品の供給管理システムであって、ロット番号及び使用期限を含む消耗品データ並びに前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）を含む消耗品の個数データを格納するデータ格納手段と、前記データ格納手段に格納された各データに基づいて、次回の棚卸しまでの予め決められた所定期間に使用期限が到来する消耗品の個数を算出し、当該消耗品のロット番号をユーザに通知する使用期限が到来する消耗品の算出・通知手段とを備えたことを特徴とする消耗品の供給管理システム。
【請求項３】
前記データ格納手段に格納された各データに基づいて、使用期限が到来した消耗品を特定し、当該消耗品のロット番号をユーザに通知する使用期限が到来した消耗品の特定・通知手段を備えたことを特徴とする請求項１又は２記載の消耗品の供給管理システム。
【請求項４】
検査を行う空間の清浄度のデータに基づいて前記使用期限を決定する使用期限決定手段を備えたことを特徴とする請求項１、２又は３記載の消耗品の供給管理システム。
【請求項５】
消耗品の消費期限のデータ及び保管状態のデータに基づいて前記使用期限を決定する使用期限決定手段を備えたことを特徴とする請求項１、２又は３記載の消耗品の供給管理システム。
【請求項６】
前記消耗品を、ＡＴＰ標準試薬、ＡＴＰ消去試薬、ＡＴＰ発光試薬、ＡＴＰ抽出試薬及び芽胞用反応液の少なくとも１つを収容した容器と、収容した溶液が漏洩しないように前記容器の開口部を密閉する箔状物とからなる試薬カートリッジとしたことを特徴とする請求項１、２、３、４又は５記載の消耗品の供給管理システム。
【発明の詳細な説明】
【技術分野】
【０００１】
本発明は、空中浮遊菌の生菌に由来するアデノシン三リン酸（以下、「ＡＴＰ」という。）の量（以下、「ＡＴＰ量」という。）を、生物発光反応による発光量を計測することにより求め、空中浮遊菌の菌数を算出するようにした検査装置に使用する使用期限のある消耗品の供給管理システムに関し、特に、供給管理システムのデータベースに記録した出荷データに基づいて消耗品の使用期限を管理する消耗品の供給管理システムに関するものである。
【背景技術】
【０００２】
無菌製剤の製造環境や食品関係の製造環境における空中浮遊菌の菌数を算出する方法として、本件出願人が先に提案した空中浮遊菌の捕集デバイスとそれを用いた分析システムの中で、ＡＴＰ発光試薬を用いて生物発光反応を行わせ、該生物発光反応による発光量を計測することにより検査試料に含まれるＡＴＰ量を求め、空中浮遊菌の菌数を算出する方法が開示されている（例えば、特許文献１参照）。
【０００３】
この空中浮遊菌の検査方法は、容器と、その容器内に収容された温度が、４０℃以下、より具体的には、１５℃以上３５℃以下の範囲でゲル−ゾル間の相転移をする高分子を含む捕集担体とからなる捕集デバイスを、吸気ノズルを備えた捕集装置に取り付け、捕集装置を作動させて空中浮遊菌を捕集する捕集工程、捕集工程で菌を捕集した捕集デバイスを検査装置に取り付け捕集担体をゲル状からゾル状に相転移し、菌懸濁液（試料）とする菌回収工程、試料中の菌外ＡＴＰや死菌内のＡＴＰを消去するＡＴＰ消去工程、菌より小さい夾雑物を含む液体成分をろ別し、試料中の生菌をフィルタ上に捕捉するろ過工程、生菌の細胞壁を溶解し、生菌の細胞質に含まれるＡＴＰを試料溶液中に抽出するＡＴＰ抽出工程、生菌から抽出したＡＴＰを含む試料溶液を得るＡＴＰ回収工程を経て、ＡＴＰ計測工程において試料中のＡＴＰ量を求め、単位体積当たりの空中浮遊菌数として検査結果を提供するもので、菌回収工程以降、検査装置で行われる各工程において、種々の試薬が用いられるものであるが、これらの試薬は、使用期限（試薬の消費期限よりも短く、保管状態や計測範囲（検査を行う空間の清浄度）によって異なる。）のある消耗品として販売会社（メーカ）から検査装置を使用するユーザへ供給される。
【０００４】
これら各試薬の使用期限は、生物発光反応に利用するもので、生物由来の酵素であるルシフェラーゼ及び発光質であるルシフェリンを始めとする、化学物質を含んでいるため、冷凍保存の必要がある上に、効果的な生物発光反応を実現するために厳しく設定されている。
前記消耗品に類するものは、一般に製造会社で製作された後、メーカに冷凍又は冷蔵状態で納品され、ここでユーザから発注されるまで在庫状態（以下、「メーカ在庫」という。）になる。
そして、ユーザからの発注に従い、メーカ在庫から出荷してユーザに冷凍又は冷蔵発送され、ユーザ側で受け取った後、ユーザの保管設備にて冷凍又は冷蔵保存され、実際の使用に供するまで在庫状態（以下、「ユーザ在庫」という。）になる。
医療機器関連の分野では、このように消耗品に関して、メーカとユーザ間で情報の共有化を図るようにして、消費期限切れにならないような在庫調整を行うシステムが提案されている（例えば、特許文献２〜３参照）。
【先行技術文献】
【特許文献】
【０００５】
【特許文献１】特開２００９−１３９１１５号公報
【特許文献２】特開２００３−１１１７７２号公報
【特許文献３】特開２００７−１０６５５７号公報
【発明の概要】
【発明が解決しようとする課題】
【０００６】
ところで、前記検出装置を使用するユーザにおいて、消耗品の在庫量を的確に把握することは困難であるとともに、自社の操業情報を供給元であるメーカを含め、詳細な情報を他社に知られたくないという事情がある。
また、在庫量を的確に把握するための手段として、メーカとの間にＷＡＮ（Ｗｉｄｅ  Ａｒｅａ  Ｎｅｔｗｏｒｋ）等からなるネットワークを構築し、オンライン化してメーカの保守員に在庫管理を一任する方法もあるが、社外からのコンピュータウィルスの侵入防止対策の観点から、社内のコンピュータシステムを外部と接続することを希望しないユーザも多い。
また、メーカ側からしても、消耗品を供給するユーザ数がさほど多くない場合に、大規模なコンピュータシステムによる、管理システムを構築することは、コストが嵩むこととなり望ましくない。
【０００７】
本発明は、上記ユーザとメーカとが抱える課題に鑑み、ユーザとメーカとをネットワークによるオンライン化することなく、ユーザ在庫の消耗品が在庫切れや余剰にならないように消耗品の発注数をコントロールすることができる消耗品の供給管理システムを提供することを第１の目的とする。
また、本発明は、ユーザ在庫の消耗品の中から使用期限の対象となる消耗品の有無を判定し、ユーザに警告を発することができる消耗品の供給管理システムを提供することを第２の目的とする。
【課題を解決するための手段】
【０００８】
上記第１の目的を達成するため、本第１発明の消耗品の供給管理システムは、検査試料に含まれる気中から捕集した空中浮遊菌の生菌に由来するＡＴＰ量を生物発光反応による発光量を計測することにより求めるようにした検査装置に用いる使用期限のある消耗品の供給管理システムであって、ロット番号及び使用期限を含む消耗品データ並びに前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）を含む消耗品の個数データを格納するデータ格納手段と、前記データ格納手段に格納された各データに基づいて次回の棚卸しまでの予め決められた所定期間にユーザからの消耗品の適正発注数を算出し、ユーザに通知する消耗品の適正発注数の算出・通知手段とを備えたことを特徴とする。
【０００９】
また、上記第２の目的を達成するため、本第２発明の消耗品の供給管理システムは、検査試料に含まれる気中から捕集した空中浮遊菌の生菌に由来するＡＴＰ量を生物発光反応による発光量を計測することにより求めるようにした検査装置に用いる使用期限のある消耗品の供給管理システムであって、ロット番号及び使用期限を含む消耗品データ並びに前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）を含む消耗品の個数データを格納するデータ格納手段と、前記データ格納手段に格納された各データに基づいて、次回の棚卸しまでの予め決められた所定期間に使用期限が到来する消耗品の個数を算出し、当該消耗品のロット番号をユーザに通知する使用期限が到来する消耗品の算出・通知手段とを備えたことを特徴とする。
【００１０】
また、前記データ格納手段に格納された各データに基づいて、使用期限が到来した消耗品を特定し、当該消耗品のロット番号をユーザに通知する使用期限が到来した消耗品の特定・通知手段を備えることができる。
【００１１】
また、検査を行う空間の清浄度のデータに基づいて前記使用期限を決定する使用期限決定手段を備えることができる。
【００１２】
また、消耗品の消費期限のデータ及び保管状態のデータに基づいて前記使用期限を決定する使用期限決定手段を備えることができる。
【００１３】
また、前記消耗品に、ＡＴＰ標準試薬、ＡＴＰ消去試薬、ＡＴＰ発光試薬、ＡＴＰ抽出試薬及び芽胞用反応液の少なくとも１つを収容した容器と、収容した溶液が漏洩しないように前記容器の開口部を密閉する箔状物とからなる試薬カートリッジを用いることができる。
【発明の効果】
【００１４】
本発明の消耗品の供給管理システムによれば、ロット番号及び使用期限を含む消耗品データ並びに前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）を含む消耗品の個数データを格納するデータ格納手段と、前記データ格納手段に格納された各データに基づいて次回の棚卸しまでの予め決められた所定期間にユーザからの消耗品の適正発注数を算出し、ユーザに通知する消耗品の適正発注数の算出・通知手段とを備えることにより、ユーザとメーカとをネットワークによるオンライン化することなく、ユーザ在庫の消耗品が在庫切れや余剰にならないように消耗品の発注数をコントロールする消耗品の供給管理システムを提供することができる。
【００１５】
また、本発明の消耗品の供給管理システムによれば、ロット番号及び使用期限を含む消耗品データ並びに前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）を含む消耗品の個数データを格納するデータ格納手段と、前記データ格納手段に格納された各データに基づいて、次回の棚卸しまでの予め決められた所定期間に使用期限が到来する消耗品の個数を算出し、当該消耗品のロット番号をユーザに通知する使用期限が到来する消耗品の算出・通知手段とを備えることにより、ユーザ在庫の消耗品の中から使用期限の対象となる消耗品の有無を判定し、ユーザに警告を発することができる。
【００１６】
また、前記データ格納手段に格納された各データに基づいて、使用期限が到来した消耗品を特定し、当該消耗品のロット番号をユーザに通知する使用期限が到来した消耗品の特定・通知手段を備えることにより、ユーザに使用期限が到来した消耗品の廃棄を促すことができる。
【００１７】
また、検査を行う空間の清浄度のデータに基づいて前記使用期限を決定する使用期限決定手段を備えることにより、検査を行う空間の清浄度の違い、例えば、無菌製剤の製造環境等での計測と食品関係等での計測のように、ＡＴＰ換算値が大きく異なる高感度計測と低感度計測で、同じ消耗品の場合であっても異なる使用期限を決定、又は、既に格納済みの使用期限のデータを変更し、高感度計測における検査結果の信頼性を向上させることができる。
【００１８】
また、消耗品の消費期限のデータ及び保管状態のデータに基づいて前記使用期限を決定する使用期限決定手段を備えることにより、保管状態のデータと製造会社が保証する消費期限のデータとを考慮し使用期限を決定、又は、既に格納済みの使用期限のデータを変更し、保管状態に応じた的確な使用期限を定めることができ、例えば、冷凍保存の場合と冷蔵保存の場合とで異なることのある消耗品の劣化速度を加味した使用期限とすることができる。
【００１９】
また、前記消耗品に、ＡＴＰ標準試薬、ＡＴＰ消去試薬、ＡＴＰ発光試薬、ＡＴＰ抽出試薬及び芽胞用反応液の少なくとも１つを収容した容器と、収容した溶液が漏洩しないように前記容器の開口部を密閉する箔状物とからなる試薬カートリッジを用いることにより、消耗品の供給管理システムで、消耗品を試薬単位で行う場合に比べ、管理のためのデータ入力を簡略化することができる。
【図面の簡単な説明】
【００２０】
【図１】本発明の消耗品の供給管理システムの概略図を示す。
【図２】同システムでの製造会社からメーカへの入庫処理を説明する概略図を示す。
【図３】同システムでのメーカの出庫処理及びユーザの入庫処理を説明する概略図を示す。
【図４】同システムのデータ格納手段に格納されるデータの一例を示す。
【図５】同システムのデータ表示手段に表示されるデータの一例を示す。
【図６】消耗品としての試薬カートリッジを示す斜視図である。
【図７】同試薬カートリッジの容器を示し、（ａ）は平面図、（ｂ）は（ａ）のＸ−Ｘ断面図である。
【発明を実施するための形態】
【００２１】
以下、本発明の空中浮遊菌の検査方法及びその装置の実施の形態を、図面に基づいて説明する。
【００２２】
図１〜図５に、本発明の消耗品の供給管理システムの一実施例を示す。
この消耗品の供給管理システムは、検査試料に含まれる気中から捕集した空中浮遊菌の生菌に由来するＡＴＰ量を生物発光反応による発光量を計測することにより求めるようにした検査装置に用いる使用期限のある消耗品の供給管理システムであって、ロット番号Ａ１及び使用期限Ａ２を含む消耗品データＡ並びに前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）を含む消耗品の個数データを格納するデータ格納手段１１と、データ格納手段１１に格納された各データに基づいて次回の棚卸しまでの予め決められた所定期間にユーザからの消耗品の適正発注数を算出し、ユーザに通知する消耗品の適正発注数の算出・通知手段１２とを備えるようにしている。
【００２３】
この消耗品の供給管理システム１で管理する消耗品は、ＡＴＰ標準試薬、ＡＴＰ消去試薬、ＡＴＰ発光試薬、ＡＴＰ抽出試薬、芽胞用反応液、滅菌蒸留水、ＡＴＰ量を生物発光反応による発光量を計測することにより求めるようにした検査装置に用いることのできる各試薬を含むものである。
【００２４】
この消耗品の供給管理システム１では、まず、各データの管理を行うデータ格納手段１１を有する管理サーバ１０（例えば、データベースソフトがインストールされたコンピュータ）を、消耗品を販売する販売会社（メーカ）のオフィスに設置する。
【００２５】
そして、ユーザからの受注計画に基づいて、メーカから消耗品の製造会社に消耗品の発注を行う（図２参照）。
製造会社からロット単位でメーカ保管設備に入庫される消耗品は、トレーサビリティ情報（ロット番号、品名・品番、製造日、出荷日、消費期限等）をロット単位で収納箱に記載されるか、又は、コード化した識別子、例えば、１次元、２次元のバーコードやＱＲコード等が付されている。
消耗品データＡは、ロット番号Ａ１及び使用期限Ａ２のほかに、品名・品番、出庫及び運搬の保管条件、メーカの保管場所への入庫日、出庫日が含まれ、メーカの保守員が、収納箱の記載に準じてデータ格納手段１１に手入力によって格納、又は、入庫される消耗品の識別子を読み取るためのバーコードリーダや小型カメラを接続又は内蔵したＰＯＳ端末を使用して消耗品データＡを読み取り、管理サーバ１０のデータ格納手段１１に格納する。
識別子を読み取ってのデータ格納手段１１へのデータの格納は、社内ＬＡＮシステムを使用して管理サーバにログインすることによって遠隔（メーカ保管設備から）から行ったり、記憶媒体を使用し、管理サーバ１０で記録媒体を読み込ませたりすることによって行うことができる。
【００２６】
また、メーカ保守員は、メーカ保管設備内で、消耗品の入庫時のデータを読み取るほかに、出庫時のデータの読み取りを行い、読み取ったデータをデータ格納手段１１へ格納する。
さらに、メーカ保守員は、消費期限の切れた消耗品を取り出し、取り出した消耗品の消耗品データＡをデータ格納手段１１に格納する在庫メンテナンスを行うとともに、棚卸しの際には在庫されている消耗品の消耗品データＡを読み取り、管理サーバ１０のデータ格納手段１１のデータを書き換えるようにしている。
【００２７】
ユーザからの発注数Ｂ１を含む発注データＢは、メーカ保守員によって管理サーバ１０からデータ格納手段１１に格納される。
また、発注データＢが、ユーザからフォーマット化された電子メールによって送信される場合には、電子メールのデータを管理サーバ１０に送信してデータ格納手段１１にデータを格納することもできる。
【００２８】
ユーザからの発注データＢに応じて、メーカ保守員は、メーカ保管設備から対応する消耗品の出庫作業を行い、出庫する消耗品の消耗品データＡの読み取り、データ格納手段１１に消耗品データＡを格納する。この場合、メーカ保管設備に対応する消耗品の在庫がないときは、製造会社に消耗品の発注を依頼する（図３参照）。
【００２９】
メーカ保管設備からの出庫のデータは、対応するユーザの入庫データとなり管理サーバで保管、管理される。
ただし、ユーザへの輸送に時間を費やす場合等、メーカ出庫を直ちにユーザ入庫として取り扱わず、輸送中データとして管理し、輸送中データを経由し、ユーザ入庫データとすることもできる。
この作業は、ユーザからメーカへの消耗品の発注がある度に行われる。
【００３０】
そして、メーカ保守員は、ユーザ在庫の消耗品の中から使用期限の対象となる消耗品の有無を、データ格納手段１１に格納された各データに基づいて行う。
判定のタイミングは、特に限定するものではないが、ユーザからの発注データＢを受けたときに行うことが好ましい。
ただし、本システムの稼働から所定期間（消耗品の使用期限到達前）が経過するまでは判定を行う必要はない。
【００３１】
ところで、この消耗品の供給管理システムにおいては、ユーザ在庫の棚卸しデータＥを入手できる場合を想定したもので、このユーザ在庫の棚卸しデータＥに基づいて、消耗品の適正発注数の算出・通知手段１２（本実施例では、算出・通知手段１２は、使用期限が到来する消耗品の算出・通知手段及び使用期限が到来した消耗品の特定・通知手段とを兼ねるようにしている。）を備えるようにしている。
なお、所定期間、棚卸しの間隔は、例えば、１ヶ月、３ヶ月といった定期、あるいは操業のサイクルに合わせた不定期の任意に期間を設定することができる。
ここで、ユーザ在庫の棚卸しデータＥは、例えば、消耗品を発注するユーザに対して販売会社から販売員が訪問して納入する場合、あるいは保守契約を締結しているユーザに対して、メーカの保守員が定期的に訪問し計測機器を保守点検する場合等に、販売員あるいは保守員がモバイルＰＣを持参し、顧客が保管している消耗品の棚卸しを行うことで効率よく入手することができる。
【００３２】
この算出・通知手段１２は、具体的には、以下の機能を有するものである。
【００３３】
［消耗品の適正発注数の算出・通知］
データ格納手段１１に格納されている消耗品の個数データ、具体的には、前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）に基づき、消耗品の適正発注数を算出し、メール等を用いてユーザに通知する。
ところで、前回の棚卸しから今回の棚卸しまでの消耗品の使用数（ｄ）（真の使用数（ｄ’）と使用期限が到来した消耗品の償却数（ｅ）との合計となる。）と、前回の棚卸し時の消耗品の在庫数（ａ）、前回の棚卸しから今回の棚卸しまでのユーザからの消耗品の発注数（ｂ）及び今回の棚卸し時の消耗品の在庫数（ｃ）（今回の棚卸しから次回の棚卸しまでの間に使用期限が到来する消耗品の個数を含む。）との間には、以下の関係がある。
（ｄ）＝（ｄ’）＋（ｅ）＝（ａ）＋（ｂ）−（ｃ）
そして、棚卸し時の適正在庫数の最大値をＥｍａｘ、同最小値をＥｍｉｎとし、消耗品の適正発注数の最大値をＦｍａｘ、同最小値をＦｍｉｎとすると、以下の関係が導き出される。
Ｆｍａｘ＝（ｄ’）−（ｃ）＋Ｅｍａｘ
Ｆｍｉｎ＝（ｄ’）−（ｃ）＋Ｅｍｉｎ
ここで、上記２式の（ｄ’）は、最初の式の（ｄ’）とは異なり、今回の棚卸しから次回の棚卸しまでの消耗品の真の使用数を意味するが、これには、前回の棚卸しから今回の棚卸しまでの消耗品の真の使用数（最初の式の（ｄ’））のほか、過去数ヶ月、１年等の消耗品の使用数を、棚卸しの間隔に当て嵌めて算出した使用数を用いるようにすることから、便宜上、同じ符号を用いている。
そして、ユーザには、消耗品の適正発注数として、上記Ｆｍａｘ、Ｆｍｉｎをメール等を用いて通知する。
この場合、今回の棚卸し以降のユーザからの消耗品の発注数Ｆについて、
（ｄ’）−（ｃ）＋Ｅｍｉｎ＜Ｆ＜（ｄ’）−（ｃ）＋Ｅｍａｘ
の範囲を外れた発注があった場合には、ユーザ在庫の消耗品が在庫切れや余剰になるおそれがあることを、例えば、警告発信手段１３等を介して、ユーザにメール等を用いて通知するようにすることもできる。
これにより、ユーザとメーカとをネットワークによるオンライン化することなく、ユーザ在庫の消耗品が在庫切れや余剰にならないように消耗品の発注数をコントロールすることができる。
【００３４】
［使用期限が到来する消耗品の算出・通知］
また、前回の棚卸しから次回の棚卸しまでの間に使用期限が到来する消耗品の個数を算出し、当該消耗品のロット番号をユーザに通知する。
具体的には、データ格納手段１１に格納されている消耗品の各データに基づいて、今回の棚卸しから次回の棚卸しまでの間に使用期限が到来する消耗品の個数Ｇを算出し、この消耗品の個数Ｇについて、
Ｇ−（ｄ’）＞０
の場合には、使用期限が到来する消耗品があることを、例えば、警告発信手段１３等を介して、ユーザにメール等を用いて通知するようにする。
【００３５】
［使用期限が到来した消耗品の特定・通知］
また、データ格納手段１１に格納されている消耗品の各データに基づいて、使用期限が到来した消耗品を特定し、当該消耗品のロット番号を、警告発信手段１３等を介して、ユーザにメール等を用いて通知するようにすることもできる。
この機能は、特に、棚卸しに際して、メーカ保守員が使用期限が到来した消耗品の償却を行う権限を有していない場合に特に有用で、これにより、ユーザに使用期限が到来した消耗品の廃棄を促すことができる。
【００３６】
また、データ格納手段１１に、ユーザが検査を行う空間の清浄度のデータＣを格納し、前記清浄度のデータＣに基づいて前記使用期限Ａ２を決定する使用期限決定手段１４を備えることができる。
【００３７】
これは、空中浮遊菌の検査において、検査を行う空間の清浄度の違い、例えば、無菌製剤の製造環境等での計測の場合には、ＡＴＰ換算値は０〜数１００ａｍｏｌ程度となり、０〜数１００ａｍｏｌの範囲の高感度の計測が必要となる。
そのため、使用することができる試薬の使用期限は、消費期限よりも短く、例えば、消費期限１８ヶ月の試薬であっても、使用期限は１２ヶ月となり、この場合に使用する消耗品をグレードＡとして管理する。
一方、食品関係等での計測のように１０００〜数万ａｍｏｌ程度のＡＴＰ換算値を求める場合は低感度の計測となり、試薬の使用期限は、消費期限と同様の１８ヶ月に設定し、この場合に使用する消耗品をグレードＢとして管理する。
これによって、ＡＴＰ換算値が大きく異なる高感度計測と低感度計測で、同じ消耗品の場合であっても異なる使用期限を決定、又は、既に格納済みの使用期限Ａ２のデータを変更し、高感度計測における検査結果の信頼性を向上させることができる。
【００３８】
この場合、検査を行う空間の清浄度は、グレードＡ及びグレードＢの２つに区分けするだけでなく、さらに詳細に、３区分（グレードＡ〜Ｃ）、４区分（グレードＡ〜Ｄ）に区分けすることもできる。
【００３９】
また、データ格納手段１１に、消耗品の消費期限のデータＤ１及び保管状態のデータＤ２を格納し、前記消費期限のデータＤ１及び保管状態のデータＤ２に基づいて前記使用期限Ａ２を決定する使用期限決定手段１４を備えることができる。
これは、消耗品の使用することができる消費期限は、最適な保管状態において使用することができる期限であり、保管状態が異なることによって消耗品の劣化速度が変わるため、消費期限と保管状態とから使用期限を決定、又は、既に格納済みの使用期限Ａ２のデータを変更し、保管状態に応じた的確な使用期限を定める必要があるからである。
【００４０】
また、消費期限のデータＤ１は、ユーザが検査装置を使って検査を行ったときに発生するエラー情報や計測異常情報をデータとしてユーザから受け、係るデータをフィードバックして、消耗品である試薬のうちどの試薬によるエラーや計測異常が多いかを判断し、原因試薬に応じて変更することができる。
【００４１】
使用期限決定手段１４は、データ格納手段１１であるデータベースソフトへのメーカ保守員の手作業による入力、又は、清浄度のデータＣ並びに消費期限のデータＤ１及び保管状態のデータＤ２を、データベースソフト内で演算又は処理（入力データをある形式から別の形式へと変換し新たなデータを得ること。以下同じ）することによって使用期限Ａ２のデータを導出することができる手段であれば、特に限定するものではない。
【００４２】
データ格納手段１１に格納される各データは、例えば、図４に示す、一覧表のように格納されており、単純にロット番号Ａ１毎にグレードに応じた使用期限があり、各使用期限が到来する日の所定期間前に、対応するロット番号Ａ１を出庫したユーザに通知することもできるが、そのようにした場合、出庫した全ての消耗品について使用期限切れの通知を行うこととなり、手続きが繁雑な上に、使用期限切れのおそれがある消耗品を在庫していないユーザにおいては、消費期限内の消耗品を誤って処分することがあり好ましくない。
【００４３】
管理サーバ１０は、図１に示す、データ表示手段１６を備え、メーカ在庫、ユーザ在庫を表示し、確認することができる。
表示するデータは、図５に示す、ロット番号順のロットデータ、ユーザ別のデータ、メーカ在庫のデータで、消費期限内のロットをメーカ在庫、ユーザ毎の在庫、搬送中のものを含めた全ロットを表示可能としている。
【００４４】
消耗品は、前記のとおり、ＡＴＰ標準試薬、ＡＴＰ消去試薬、ＡＴＰ発光試薬、ＡＴＰ抽出試薬、芽胞用反応液、滅菌蒸留水、ＡＴＰ量を生物発光反応による発光量を計測することにより求めるようにした検査装置に用いることのできる各試薬の単品を用いることができるほか、検査装置に簡易に設置できるように、ＡＴＰ標準試薬、ＡＴＰ消去試薬、ＡＴＰ発光試薬、ＡＴＰ抽出試薬及び芽胞用反応液の少なくとも１つを収容した容器２０と、収容した溶液が漏洩しないように前記容器２０の開口部を密閉する箔状物２１とからなるユニット化した試薬カートリッジ２とすることができる。
【００４５】
試薬カートリッジ２の容器２０は、前記検査用の試薬を少なくとも１つ収納するものであれば、その構成は特に限定されず、例えば、図６〜図７に示すように、９箇所に区画した試薬を収納する収納空間２０ａを有し、各収納空間２０ａに、ＡＴＰ標準試薬、ＡＴＰ消去試薬、ＡＴＰ発光試薬、ＡＴＰ抽出試薬、芽胞用反応液、滅菌蒸留水を収容するようにしている。
【００４６】
また、試薬カートリッジ２の容器２０は、例えば、金型によって成形される合成樹脂製のものを使用することが好ましい。
また、容器２０の開口部を密閉する箔状物２１は、検査装置の試薬を吸引・注入する分注ノズルの先端を上下方向に移動させて突き破ることによって開封し、収納した試薬を吸入することができるように、例えば、図６に示すようなアルミシールを使用する。
箔状物２１の開封には、開封専用ノズルを使用し、開封時に開封専用ノズルが試薬に触れないようにすることによって、１本の開封専用ノズルで試薬カートリッジ２に収容する各試薬の分注を行うことができる。
【００４７】
そして、製造会社で各収納空間に試薬を注入し、箔状物で密閉された試薬カートリッジは、−５℃〜−３０℃、好ましくは−１８℃以下で保管し、メーカ保管設備に搬入される。
【００４８】
メーカ保管設備から出庫された試薬カートリッジ２は、ユーザの所有する検査装置内において、検査の際に、検査試料と同一平面上に載置され、該平面のＸ−Ｙ方向及び該平面に対して垂直になるＺ方向に移動する分注ノズルによって所定量を吸入して検査試料に注入して使用される。
【００４９】
また、この試薬カートリッジ２は、使用後に十分な消毒処理を施すことによって再利用することができ、ユーザからの再利用希望のデータを管理サーバに入力しておくことによって、再利用した試薬カートリッジ２を使用してユーザに消耗品として出庫することができ、コスト削減を図ることができる。
【００５０】
以上、本発明の消耗品の供給管理システムについて、その実施例に基づいて説明したが、本発明は上記実施例に記載した構成に限定されるものではなく、その趣旨を逸脱しない範囲において適宜その構成を変更することができるものである。
【産業上の利用可能性】
【００５１】
本発明の消耗品の供給管理システムは、ユーザとメーカとをネットワークによるオンライン化することなく、ユーザ在庫の消耗品が在庫切れや余剰にならないように消耗品の発注数をコントロールすることができるとともに、ユーザ在庫の消耗品の中から使用期限の対象となる消耗品の有無を判定し、ユーザに警告を発することができるという特性を有していることから、メーカとのネットワーク接続を希望しないユーザに対して使用期限のある消耗品を納入する際の消耗品の供給管理システムの用途に好適に用いることができる。
【符号の説明】
【００５２】
１    供給管理システム
２    試薬カートリッジ（消耗品）
２０  容器
２１  箔状物
１０  管理サーバ
１１  データ格納手段
１２  算出・通知手段
１３  警告発信手段
１４  使用期限決定手段
Ａ    消耗品データ
Ａ１  ロット番号
Ａ２  使用期限
Ｂ    発注データ
Ｂ１  発注数
Ｃ    清浄度のデータ
Ｄ１  消費期限のデータ
Ｄ２  保管状態のデータ
Ｅ    ユーザ在庫の棚卸しデータ
【図１】
2011186905.tif 000003
【図２】
2011186905.tif 000004
【図３】
2011186905.tif 000005
【図４】
2011186905.tif 000006
【図５】
2011186905.tif 000007
【図６】
2011186905.tif 000008
【図７】
2011186905.tif 000009